(57)【特許請求の範囲】
【請求項１】
昇降自在にされカートリッジに収納されたディスクを取出す搬出位置と、ターンテーブルに装着する搬入位置とにさせるホルダーと、
光ピックアップが設けられている面の反対側のディスク面に対して前記ホルダーの昇降に伴い昇降される磁気ヘッドと、
記録再生操作に連動して移動するヘッド切換部材と
を備え、
前記磁気ヘッドは、ヘッド取付アームに設けられ、前記ヘッド切換部材は、前記ヘッド取付アームに当接する切起片を有すると共に、係止片が前記ホルダーの天板に当接されて、
ディスクの再生時に、前記ヘッド切換部材にて前記ホルダーが搬入位置にされても前記磁気ヘッドが記録位置に変位することを防止させたことを特徴とする光ディスク記録再生装置。
【請求項２】
前記ヘッド切換部材を前記ホルダーに設けたことを特徴とする請求項１に記載の光ディスク記録再生装置。
【請求項３】
前記磁気ヘッドは、前記光ピックアップを取付けたピック取付アームに軸支されたヘッド取付アームに設けられ、前記ヘッド取付アームに前記ヘッド切換部材を接触させて前記ホルダーが動作位置にされても前記磁気ヘッドが記録位置に変位することを防止させたことを特徴とする請求項１に記載の光ディスク記録再生装置。
【請求項４】
前記ヘッド切換部材は、前記磁気ヘッドがディスクのトラック内周から外周に移動しても再生時に前記磁気ヘッドをディスク面から離間できる十分な長さとされたことを特徴とする請求項１又は請求項３に記載の光ディスク記録再生装置。
【請求項５】
前記ヘッド切換部材の側面に歯車が形成され、前記歯車に噛合わせられたギヤーにて前記ヘッド切換部材が動かされることを特徴とする請求項１〜４の何れか１項に記載の光ディスク記録再生装置。
【請求項６】
前記ホルダーの前記天板に支軸により軸支された第１アームと、軸により軸支され前記カートリッジのシャッターの延長部に係合する第２アームとを備えることを特徴とする請求項１〜５の何れか１項に記載の光ディスク記録再生装置。
【発明の詳細な説明】
【０００１】
【発明の属する技術分野】
本発明は、記録時に磁気ヘッドをディスク面に移動させるものにおいて、記録時以外は磁気ヘッドがディスク面に近接されることのないようにした光ディスク記録再生装置に関する。
【０００２】
【従来の技術】
ディスクにデータ信号を容易に記録する方法として、ディスクの一面から磁気を加え、反対面からレーザ光線を当てて記録する光磁気記録再生装置がある。斯かる光磁気記録再生装置は、従来、磁気を加える磁気ヘッドはディスク面とは一定距離で保たれていた。
【０００３】
しかし最近前記光記録装置は多量のデータ信号を記録する必要があるため、信号が記録されるトラック間の幅を狭くし高密度化が行なわれている。そのために磁気ヘッドより印加される磁界を狭い範囲に絞る必要があるので、前記磁界を発生させるコイルが巻回されたコアの形状を小型化している。しかし前記コアを小型化すると磁力が弱くなるので、磁気ヘッドを出来るだけディスクに近付ける必要がある。
【０００４】
【発明が解決しようとする課題】
ところで記録したデータ信号を再生するときに磁気ヘッドをディスク面に近接させたままレーザビームを照射させると、記録されたデータ信号が改変される恐れがある。
【０００５】
本発明は、斯かる点を改良した光ディスク記録再生装置を提供しようとするものである。
【０００６】
【課題を解決するための手段】
本発明は、再生時に磁気ヘッドが設けられたヘッド取付アームをヘッド切換部材にて制御して、磁気ヘッドがディスク面に近接されることがないようにする。
本発明の請求項１に係る光ディスク記録再生装置は、昇降自在にされカートリッジに収納されたディスクを取出す搬出位置と、ターンテーブルに装着する搬入位置とにさせるホルダーと、光ピックアップが設けられている面の反対側のディスク面に対して前記ホルダーの昇降に伴い昇降される磁気ヘッドと、記録再生操作に連動して移動するヘッド切換部材とを備え、前記磁気ヘッドは、ヘッド取付アームに設けられ、前記ヘッド切換部材は、前記ヘッド取付アームに当接する切起片を有すると共に、係止片が前記ホルダーの天板に当接されて、ディスクの再生時に、前記ヘッド切換部材にて前記ホルダーが搬入位置にされても前記磁気ヘッドが記録位置に変位することを防止させたことを特徴とする。
【０００７】
【発明の実施の形態】
図１、図２及び図５は、カートリッジが搬出位置に搬送された状態を示す本発明に係る光ディスク記録再生装置の平面図、側面図および正面図であり、図３、図４、図６及び図７は、カートリッジが搬入位置に搬送された状態を示す本発明に係る光ディスク記録再生装置の平面図、側面図および正面図である。
【０００８】
図において１はカートリッジ２を保持するホルダーで、前記カートリッジ２にはディスク３が回転自在に収納されており、且つ上下面に形成されている開口２ｂを開閉するシャッター２ａが設けられている。４はベース板５に滑動自在に設けられたスライド板で、スライド板４には傾斜するガイド溝６、７、８が形成されており、ガイド溝６，８にはホルダー１の各側面にそれぞれ植立されたガイドピン９、１０が挿入されている。前記ガイドピン９はベース板５の両側壁に形成された垂直溝１１にも挿入され、ホルダー１のベース板５に対する前後方向の変位を規制している。
【０００９】
１２はシャッター開閉部材で、ホルダー１の天板に支軸１４により軸支された第１アーム１３と、軸１５により軸支され前記シャッター２ａの延長部に係合する第２アーム１６とよりなる。前記第１アーム１３はスプリング１７により反時計回りに付勢され、第２アーム１６はスプリング１８により時計方向に付勢されている。１９はベース板５に軸２０にて軸支されたレバー部材で、スプリング２２にて反時計方向に付勢されスライド板４を後方位置に規制するべく係合ピン２１に係合されるロック位置（図１の位置）とスライド板４の後方位置での規制が解除される非ロック位置（図３の位置）とに回動変位される。
【００１０】
２３はピック取付アームで先端に光ピックアップ２４が設けられており、モータにて回転される棒ギア２５にてディスク３のトラックを横切る方向に移動される。２６は前記ピック取付アーム２３に設けられた軸２７にて軸支されたヘッド取付アームで、先端に磁気ヘッド２８が取付られ、且つスプリング２９にて時計方向に付勢され、係止片３０がホルダー１の天板に当接されている。
【００１１】
４６はヘッド取付アーム２６の下面に当接する切起片４６ａを有するヘッド切換部材で、ホルダー１上のピン４８、４８に長孔４７、４７が嵌合され、側面に形成された歯車４６ｂに噛合うギヤー４９にてヘッド取付アーム２６の長さ方向に摺動される。５０はヘッド切換部材４６の側面の突起４６ｃにて切換えられる切換スイッチである。前記ヘッド切換部材４６はヘッド取付アーム２６がピック取付アーム２３と共にディスク３の最内周トラックから最外周トラックまで移動してもヘッド取付アーム２６に当接できる長さにされている。
【００１２】
このように構成された光磁気記録再生装置において、カートリッジ２をホルダー１内に挿入すると、カートリッジ２の先端がシャッター開閉部材１２の第２アーム１６に当接される。すると第２アーム１６の先端の爪部１６ａがシャッター２ａの延長部２ｃの端に係合される。さらにカートリッジ２を押しこむと、第１アーム１３は時計方向に回動され、それに伴って第２アーム１６は図１において左斜め上方に平行移動される。
【００１３】
前記カートリッジ２が押し込まれるのに伴いシャッター２ａが左側にスライドされ、シャッター２ａに覆われていたカートリッジ２の開口２ｂからディスク面が露出される。
【００１４】
カートリッジ２を引続き押込むと、第１アーム１３の中央部がレバー部材１９の突起１９ａに当接し、レバー部材１９をスプリング２２の付勢力に抗して時計方向に回動させる。
【００１５】
図１に示す状態からレバー部材１９が時計方向に回動され、図３に示す非ロック位置に変位されると、スライド板４に設けられている係合ピン２１がレバー部材１９の係合より脱するので、スライド板４はスプリング３３の付勢力で図３に示すように前方に変位される。
【００１６】
前記スライド板４が前方に変位されると、ホルダー１の側面にあるガイドピン９、１０がガイド溝６、８内を移動するので、ホルダー１は、図２に示す位置から図４に示す位置に下降変位し、ホルダー１内のカートリッジ２が搬入位置に移動される。
【００１７】
前記レバー部材１９が非ロック位置に変位されると、レバー部材１９の突起１９ａが第１アーム１３の鉤部１３ａに係合され、シャッター開閉部材１２は図３の状態に保持される。
【００１８】
また前記ホルダー１が下降変位されるに伴い、磁気ヘッド２８は図５に示す位置からヘッド取付アーム２６が軸２７を中心としてスプリング２９にて回動されるので、シャッター２が移動することにより開放された開口２ｂからカートリッジ２内に挿入され、ディスク３の面に近接される。又ディスク３は開放された下面の開口２ｂよりターンテーブル４５に装着される。
【００１９】
従って記録動作を行なうための操作を行なうと、ディスク３が回転されると共に光ピックアップ２４よりレーザービームがディスク３に照射され、且つ磁気ヘッド２８のコアに巻回されたコイルに電流を流すことにより、磁気ヘッド２８から磁界が印加されデータ信号の記録が行なわれる。
【００２０】
ところで、前記記録されたデータ信号を再生するために再生操作をすると、モーター（図示せず）が回転しギアー４９が反時計方向に回転するので、ギアー４９と歯車４６ｂとは噛合い、ヘッド切換部材４６をへッド取付アーム２６の先端方向に摺動させる。それにより図７に示すように切起片４６ａがヘッド取付アーム２６をスプリング２９の付勢力に抗して持上げ、磁気ヘッド２８をディスク３の面から離す。この位置で突起４６ｃにて切換スイッチ５０を切換えモーターを停止させる。
【００２１】
前記磁気ヘッド２８は光ピックアップ２４と共に、ディスクの最内周トラックから最外周トラックまで移動し、それと共にヘッド取付アーム２６も移動するが、ヘッド切換部材４６は十分の長さにて構成されているので、磁気ヘッド２８がどの位置にあっても再生時に磁気ヘッド２８をディスク３から離間させることが出来る。
【００２２】
再びデータ信号の記録をするため記録操作すると、切換スイッチの切換によりモーターは前記と反対方向に回転し、ギアー４９は時計方向に回転しヘッド切換部材４６をヘッド取付アーム２６の元部方向に摺動させて図６の状態にするので、磁気ヘッド２８は再びディスク面に近接し、データ信号の記録動作をすることが出来る状態になる。
【００２３】
データ信号等の記録又は再生が終了しカートリッジ２を搬出するには、モータ３５を回転させ、駆動ギア３６を図３の状態において反時計方向に回転させる。駆動ギア３６の回転に伴い、下面に形成された押圧突起３７がスライド板４の後尾の折曲片３８を押圧するので、スライド板４は後方にスライドされ、それに伴いホルダー１が上昇し、ヘッド取付アーム２６を図６において反時計方向に回動し、磁気ヘッド２８をディスク面より離すと共に、ディスク３をターンテーブル４５より浮上させる。
【００２４】
又、スライド板４が後方に変位されると、係合ピン２１が後方に移動され、係合ピン２１によりレバー部材１９が非ロック位置に規制された状態が解除され、レバー部材１９がスプリング２２の付勢力により反時計方向に回動されロック位置にされる。
【００２５】
レバー部材１９がロック位置に変位されると、レバー部材１９が係合ピン２１に係合される状態になると共に、レバー部材１９の突起１９ａが第１アーム１３の鉤部１３ａの係合から解除され、第１アーム１３がスプリング１７の付勢力で反時計方向に回動され、シャッター開閉部材１２の伸長が行なわれる。
【００２６】
この場合、第１アーム１３の基部に設けられたギア部４０が減速ダンパーのギア４１に噛合されていることにより第１アーム１３は緩やかに反時計方向に回動され、シャッター開閉部材１２の伸長も緩やかに行なわれる。
【００２７】
シャッター開閉部材１２の伸長が行なわれると、ホルダー１内に納入されたカートリッジ２が第２アーム１６によって前方に押圧されると共に、第２アーム１６の爪部１６ａが右方向に変位するので、シャッター２ａはスプリング（図示せず）の付勢力で図１に示すように右方向にスライドして開口２ｂが閉塞され、カートリッジ２がホルダー１から搬出される。
【００２８】
【発明の効果】
本発明は、ホルダーがカートリッジ内のディスクをターンテーブルに装着する搬入位置にされるに伴い、磁気ヘッドがディスク面に近接されても、再生操作するとへッド切換部材にて磁気ヘッドはディスク面から離間されるため、磁気に影響されることなく、再生ができる。
【００２９】
前記ヘッド切換部材はホルダーに取付けたので、記録時には何等影響せず磁気ヘッドをディスクに近接でき、再生時には容易に磁気ヘッドを離間できる。
【００３０】
またヘッド切換部材は磁気ヘッドがディスクの最内周トラックから最外周トラックに移動する長さに設けたので、磁気ヘッドがディスクのどの位置にあっても再生時には磁気ヘッドをディスクから離間できる。
【図面の簡単な説明】
【図１】本発明の光ディスク記録再生装置のカートリッジが搬出された状態を示す平面図である。
【図２】本発明の光ディスク記録再生装置のカートリッジが搬出された状態を示す側面図である。
【図３】本発明の光ディスク記録再生装置のカートリッジが搬入された状態を示す平面図である。
【図４】本発明の光ディスク記録再生装置のカートリッジが搬出された状態を示す側面図である。
【図５】本発明の光ディスク記録再生装置のカートリッジが搬出された状態を示す正面図である。
【図６】本発明の光ディスク記録再生装置のカートリッジが搬入され記録状態にされたときを示す正面図である。
【図７】本発明の光ディスク記録再生装置のカートリッジが搬入され再生状態にされたときを示す正面図である。
【符号の説明】
１      ホルダー
２      カートリッジ
２ａ    シャッター
３      ディスク
４      スライド板
５      ベース板
１２    シャッター開閉部材
１３    第１アーム
１４ 支軸
１５ 軸
１６    第２アーム
１９    レバー部材
２３    ピック取付アーム
２４    光ピックアップ
２６    ヘッド取付アーム
２８    磁気ヘッド
３０ 係止片
４５ ターンテーブル
４６    ヘッド切換部材
４６ａ 切起片
４６ｂ 歯車
４９ ギヤー
【図１】
0003857839.tif 000002
【図２】
0003857839.tif 000003
【図３】
0003857839.tif 000004
【図４】
0003857839.tif 000005
【図５】
0003857839.tif 000006
【図６】
0003857839.tif 000007
【図７】
0003857839.tif 000008